(57)【要約】【課題】患者の手に装着された際に、患者が点滴チューブなどの物を掴むことができないようにすると共に、患者に余分なストレスを与えることをできるだけ軽減した医療用ミトン型手袋を提供する。【解決手段】医療用ミトン型手袋１は、患者が物を掴むことができないように患者の手に装着可能な医療用手袋であって、略手掌の形状を有し、患者の手を保護するミトンカバー部２と、ミトンカバー部２内にあって患者の手の挿入方向とは略直交する方向に配置された略楕円柱形状の掴み部３と、ミトンカバー部２の手首側に連続一体に形成されて医療用ミトン型手袋１を患者の手首に固定するためのテープ部５とを備える。この構成により、医療用ミトン型手袋１では、装着時には患者が点滴チューブなどの物を掴むことができないようにすると共に、患者に余分なストレスを与えることをできるだけ軽減できる。【選択図】図１
2019119972.tif 000002
【特許請求の範囲】
【請求項１】
患者が物を掴むことができないように患者の手に装着可能な医療用ミトン型手袋であって、
略手掌の形状を有し、患者の手を保護するミトンカバー部と、
前記ミトンカバー部内にあって、患者の手の挿入方向とは略直交する方向に配置された略楕円柱形状の掴み部と、
前記ミトンカバー部の手首側に連続一体に形成され、前記医療用ミトン型手袋を患者の手首に固定するための固定部と、を備えることを特徴とする医療用ミトン型手袋。
【請求項２】
前記ミトンカバー部は、患者の手の平側を保護する下側カバーと、当該下側カバーと線対称となる形状を有して患者の手の小指側の側面で２つ折りにできるように前記下側カバーと連続一体に形成される上側カバーと、を有し、
前記医療用ミトン型手袋は、
前記下側カバー及び前記上側カバーの小指側の側面以外の外縁部に設けられ、前記下側カバー及び前記上側カバーを縫合するための縫合部をさらに備える、ことを特徴とする請求項１記載の医療用ミトン型手袋。
【請求項３】
前記ミトンカバー部は、空気圧によって膨張収縮可能な素材で構成され、空気により膨張して平らな略球形状となるクッション部、及び手が蒸れないように所々に円形状の開口を有する、ことを特徴とする請求項１又は２に記載の医療用ミトン型手袋。
【請求項４】
前記ミトンカバー部は、空気圧によって膨張収縮可能な線材を、メッシュ状に組んで形成される、ことを特徴とする請求項１又は２に記載の医療用ミトン型手袋。
【請求項５】
さらに、前記ミトンカバー部にはデナトニウムベンゾエイトが含有される、ことを特徴とする請求項３又は４に記載の医療用ミトン型手袋。
【請求項６】
さらに、前記クッション部は透明又は半透明素材であり、その任意の位置に前記クッション部を膨圧するための空気栓を有する、ことを特徴とする請求項３に記載の医療用ミトン型手袋。
【請求項７】
さらに、前記線材は透明又は半透明素材であり、その任意の位置に前記線材を膨圧するための空気栓を有する、ことを特徴とする請求項４に記載の医療用ミトン型手袋。
【請求項８】
前記略楕円柱形状の掴み部は、患者が手で握ったときに、患者の親指と他の指とが接触しない程度の大きさを有する、ことを特徴とする請求項１乃至７のいずれか一項に記載の医療用ミトン型手袋。
【請求項９】
前記縫合部に備わる留め具は、前記外縁部に沿って、前記医療用ミトン型手袋の親指の付け根位置に向かう方向に移動しながら前記下側カバー及び前記上側カバーを縫合し、且つ当該留め具は前記固定部の内部に収容可能となる、ことを特徴とする請求項２乃至８のいずれか一項に記載の医療用ミトン型手袋。
【発明の詳細な説明】
【技術分野】
【０００１】
本発明は、医療用ミトン型手袋に関し、特に、患者が物を掴むことができないように患者の手に装着可能な医療用ミトン型手袋に関する。
【背景技術】
【０００２】
従来より、病院などの医療現場において、点滴や透析などの最中に患者が勝手に点滴チューブを外したり、物を千切ったり、たたいたり、或いは皮膚を掻きむしったりするという問題がある。特に、点滴チューブが患者の意思で勝手に外されると患者にとっても非常に危険である。
【０００３】
そこで、患者がいたずらに点滴チューブなどを外したりすることができないように、医療現場では、患者の手に取り付ける医療用保護手袋を用いることがある。この医療用保護手袋は、例えば、ミトンなど比較的大型の手袋の内部空間に手の平の形を模した段ボールやプラスチックのような板状体を入れて、患者が手の握るという動作を物理的にできないようにし、その結果、点滴チューブなどの抜去を防止するものである。
【０００４】
この種の医療用手袋は従来より様々開発されており、例えば、吸水性のある布地で構成され、肌側指先部には親指と人差し指を挿嵌する指分割部が設置された手のひら部、及び手の甲部とで構成されたミトン型手袋が開示されている（例えば、特許文献１参照）。また、クッション性のある布地の中にプラスチック板を挿入した掴み防止部材とメッシュ生地とから構成され、この掴み防止部材とメッシュ生地との間に手を挿入する空間が形成されたいたずら防止用手袋も開示されている（例えば、特許文献２参照）。さらに、手の動きを最小限に抑制するように、手首に止定可能な取付部と、手を覆うカバーとから成り、このカバーは指を屈曲したり伸ばしたりできる空間部を有している医療補助用手袋も開示されている（例えば、特許文献３参照）。
【先行技術文献】
【特許文献】
【０００５】
【特許文献１】実用新案登録第3199588号
【特許文献２】実用新案登録第3110374号
【特許文献３】特開平11-4843号公報
【発明の概要】
【発明が解決しようとする課題】
【０００６】
しかしながら、上記従来の医療用保護手袋のそのほとんどは、上記特許文献１に示すような布製であったり、又は布製手袋の中に手の平の形をした段ボールやプラスチックなどの板状体を入れたものが用いられている。この場合、特に力の強い患者などは時としてその手袋の内部に収容されている板状体を力で折り曲げて、物を掴むことが可能となり、結果として、患者が点滴チューブを掴んで引き抜いてしまい、その手袋本来の目的を成すことができないという問題がある。また、仮に硬度の高い板状体を手袋内部に収容した場合には医療用保護手袋自体の重量が増えてしまい、実用的ではない。
【０００７】
さらに、手の平の形を有する板状体を手袋内部に入れた場合、患者は常に手の平を開いた状態を長期間維持する必要があり、患者が医療用手袋装着時のストレスを余計に感じる要因となっている。
【０００８】
またさらに、この種の医療用手袋は、布製で手全体を覆うように構成されるため、長期間装着すると手が蒸れ、痒くなったり、内部の手の様子が全く分からないために、患者が不安になるなど余分なストレスを感じる原因となる。
【０００９】
そして、上記特許文献３に示す医療用補助手袋は、確かに患者は物は掴むことはできないと解されるが、大型のカバーを備えるなど手袋自体が非常に大掛かりであり実用性が低く、実際の医療現場で使用するには適していない。
【００１０】
本発明は、上記課題に鑑みてなされたものであり、患者の手に装着された際に、患者が点滴チューブなどの物を掴むことができないようにすると共に、患者に余分なストレスを与えることをできるだけ軽減した医療用ミトン型手袋を提供することを目的とする。
【課題を解決するための手段】
【００１１】
上記課題を解決するため、本発明は、患者が物を掴むことができないように患者の手に装着可能な医療用ミトン型手袋であって、略手掌の形状を有し、患者の手を保護するミトンカバー部と、前記ミトンカバー部内にあって、患者の手の挿入方向とは略直交する方向に配置された略楕円柱形状の掴み部と、前記ミトンカバー部の手首側に連続一体に形成され、前記医療用ミトン型手袋を患者の手首に固定するための固定部と、を備えることを特徴とするものである。
【００１２】
この医療用ミトン型手袋において、前記ミトンカバー部は、患者の手の平側を保護する下側カバーと、当該下側カバーと線対称となる形状を有して患者の手の小指側の側面で２つ折りにできるように前記下側カバーと連続一体に形成される上側カバーと、を有し、前記医療用ミトン型手袋は、前記下側カバー及び前記上側カバーの小指側の側面以外の外縁部に設けられ、前記下側カバー及び前記上側カバーを縫合するための縫合部をさらに備えることが好ましい。
【００１３】
この医療用ミトン型手袋において、前記ミトンカバー部は、空気圧によって膨張収縮可能な素材で構成され、空気により膨張して平らな略球形状となるクッション部、及び手が蒸れないように所々に円形状の開口を有することが好ましい。
【００１４】
この医療用ミトン型手袋において、前記ミトンカバー部は、空気圧によって膨張収縮可能な線材を、メッシュ状に組んで形成されることが好ましい。
【００１５】
この医療用ミトン型手袋において、さらに、前記ミトンカバー部にはデナトニウムベンゾエイトが含有されることが好ましい。
【００１６】
この医療用ミトン型手袋において、さらに、前記クッション部は透明又は半透明素材であり、その任意の位置に前記クッション部を膨圧するための空気栓を有することが好ましい。
【００１７】
この医療用ミトン型手袋において、さらに、前記線材は透明又は半透明素材であり、その任意の位置に前記線材を膨圧するための空気栓を有することが好ましい。
【００１８】
この医療用ミトン型手袋において、前記略楕円柱形状の掴み部は、患者が手で握ったときに、患者の親指と他の指とが接触しない程度の大きさを有することが好ましい。
【００１９】
この医療用ミトン型手袋において、前記縫合部に備わる留め具は、前記外縁部に沿って、前記医療用ミトン型手袋の親指の付け根位置に向かう方向に移動しながら前記下側カバー及び前記上側カバーを縫合し、且つ当該留め具は前記固定部の内部に収容可能となることが好ましい。
【発明の効果】
【００２０】
本発明に係る医療用ミトン型手袋は、患者が物を掴むことができないように患者の手に装着可能な医療用手袋であって、略手掌の形状を有し、患者の手を保護するミトンカバー部と、ミトンカバー部内にあって患者の手の挿入方向とは略直交する方向に配置された略楕円柱形状の掴み部と、ミトンカバー部の手首側に連続一体に形成されて医療用ミトン型手袋を患者の手首に固定するためのテープ部とを備える。この構成により、本願発明では、患者の手に装着された際に、患者が点滴チューブなどの物を掴むことができないようにすると共に、患者に余分なストレスを与えることをできるだけ軽減できる。
【図面の簡単な説明】
【００２１】
【図１】本発明の実施の形態１に係る医療用ミトン型手袋の開状態を示す平面図である。
【図２】同上医療用ミトン型手袋の取り付け手順を説明するための平面図である。
【図３】（ａ）同上医療用ミトン型手袋の閉状態を示す平面図、（ｂ）同上医療用ミトン型手袋の閉状態での一部透視平面図である。
【図４】同上医療用ミトン型手袋に挿入された手の状態を説明するための図である。
【図５】本発明の実施の形態１の変形例に係る医療用ミトン型手袋の平面図である。
【図６】本発明の実施の形態２に係る医療用ミトン型手袋の開状態を示す平面図である。
【図７】同上医療用ミトン型手袋の取り付け手順を説明するための平面図である。
【図８】同上医療用ミトン型手袋の閉状態を示す平面図である。
【発明を実施するための形態】
【００２２】
（実施の形態１）
本発明の実施の形態１に係る医療用ミトン型手袋について図１乃至図４を参照して説明する。この医療用ミトン型手袋は、主に、医療現場において患者が点滴チューブなどを抜去したり、物を掴んだりするという動作ができないようにするため、患者の手に装着可能な手袋である。また、通常、ミトンとは、指を入れる部分が親指だけ分かれていて、他の指は１つにまとめられている手袋のことを指すが、本実施の形態１に係る医療用ミトン型手袋は、必ずしも親指の部分だけが分かれた二股手袋とする必要性はない。
【００２３】
最初に、本実施の形態１に係る医療用ミトン型手袋の構造に関して、図１を参照しながら説明する。図１は、医療用ミトン型手袋１（以下、手袋１と記す）を開いた状態を示す。この手袋１は、ミトンカバー部２、掴み部３、ファスナー部（縫合部）４、テープ部（固定部）５、及び空気栓６を備える。ミトンカバー部２は、下側カバー２Ａと上側カバー２Ｂとから構成される。
【００２４】
ミトンカバー部２は、透明強化ビニールなどの空気圧によって膨張収縮可能な透明又は半透明素材で構成され、空気により膨張して平らな略球形状（上面視で略円形状）となるクッション部２ｃ、及び内部に収容される手が蒸れないように所々に円形状の開口２ｄが形成されている。ミトンカバー部２は、中に入れられた手が透視できるように構成され、また、クッション部２ｃによって手を守るようになっている。このクッション部２ｃは、例えば直径２０ｍｍ及び膨張時の厚みが１５ｍｍ程度の平らな略球形状、開口２ｄは、直径５ｍｍ程度となる。また、クッション部２ｃは、手袋１に手を入れた使用状態では潰れたような円形で手と接触するために、手の肌に触れる面を極力少なくすることができる。
【００２５】
ミトンカバー部２を構成する下側カバー２Ａは、図２に示すように、患者の手の平を載置する側であり、上面視で５本の指を含めた手の平全体の略手掌の形状を有し、患者の手の平を保護する。上側カバー２Ｂは、本図に示すように、下側カバー２と線対称となる形状を有し、患者の手の小指側の側面で２つ折りにできるように下側カバー２と連続一体に形成されている。
【００２６】
これらの下側カバー２Ａ、及び上側カバー２Ｂの素材には、例えばデナトニウムベンゾエイトが含有される。具体的には、ミトンカバー部２の素材は、例えば、浮輪などで使用されるポリ塩化ビニルなどの透明ビニール製の素材である。この際、ミトンカバー部２には任意の位置にクッション部２ｃを膨張するための空気栓６が形成され、口などを用いて空気栓６から圧縮空気を入れて、浮輪のようにクッション部２ｃが膨張するように構成される。なお、通常は空気栓６には弁が備わる。
【００２７】
下側カバー２Ａ、及び上側カバー２Ｂに含有されるデナトニウムベンゾエイト（正式名は安息香酸デナトニウム）は、極めて強い苦みをもつことで知られ、幼児などによる誤飲防止のための添加物として利用されている。このため、患者が医療用ミトン型手袋１を誤って飲み込んだり、又は意図的に噛むという動作を確実に防止できる。
【００２８】
掴み部３は、略楕円柱形状（垂直断面が丸長方形状）であり、下側カバー２Ａの患者の手の平が載置される側に、患者の手の医療用ミトン型手袋１への挿入方向（図中の矢印Ｘに示す方向）とは略直交する方向（又は患者の手の付け根に沿った方向）に配置されたクッション性を有する部材である。すなわち、掴み部３は、略楕円柱形状（平べったく角が丸くなっている形状）であり、また、スクィーズの素材で、柔らかく握って遊べるような素材であればよい。また、掴み部３は、その両端位置で下側カバー２Ａなどに一体接続されていても良い。
【００２９】
ファスナー部４は、図１や図２に示すように、上側カバー２Ｂ及び下側カバー２Ａの小指側の側面以外の外縁部に設けられ、上側カバー２Ｂ及び下側カバー２Ａを縫合するためのファスナーである。このファスナー部４は、金属製やプラスチック製の留め具４ａを有する。留め具４ａは、例えば外縁部に沿って、医療用ミトン型手袋１の親指の付け根位置に向かう方向に移動しながら下側カバー２Ａ及び上側カバー２Ｂを縫合する。また、図３に示すように、患者が怪我などをすることがないように留め具４ａはテープ部５の内部に収容可能となる。この構成により、患者はファスナー部４を容易に外したり壊すことができず、また、留め具４ａを利用して物を叩くなどの危険な行為を抑止できる。
【００３０】
テープ部５は、例えば帯状体のマジックテープ（登録商標）など、その両端側においてワンタッチで係合できるような係合部５ａを有し、手袋１が患者の手から安易に外れないように固定する。なお、テープ部５はマジックテープに限定されるものではなく、紐やバックルなど、患者の手袋１を手首に固定できる構成であれば良い。
【００３１】
次に、本実施の形態２に係る医療用ミトン型手袋１の患者の手への装着手順に関して、図３を参照しながら説明する。
【００３２】
最初に、医療用ミトン型手袋１の空気栓６からミトンカバー部２に空気が充填される。次に、患者の手の平側を下側カバー２Ａに置き、患者に略楕円柱形状の掴み部３を握らせ、さらに、矢印Ｙに示す方向で上側カバー２Ｂを患者の手の甲に被せて手袋１を２つ折りにする。その後、矢印Ｚに示す方向にファスナー部４を移動させてファスナー部４で上側カバー２Ｂ及び下側カバー２Ａを縫合する。最後に、ファスナー部４の留め具４ａをテープ部５の帯状体の内部に収容するようにテープ部５を係合して、手袋１を患者の手に確実に装着・固定する。このように、親指の付け根に掴み部３をしっかり当てて、手首をテープ部５のベルトで固定することで手袋１が前にズレることを防止する。
【００３３】
次に、本実施の形態２に係る医療用ミトン型手袋１の装着時の、患者の手の状態を、図４を参照しながら説明する。
【００３４】
手袋１のミトンカバー部２は側面から見ると外方にある程度膨圧されている。この手袋１のミトンカバー部２はビニール製であり柔軟性を有しているため、図４に示すように、患者は力で手袋１をある程度までは折ることができる。しかしながら、手袋１の内部には患者が手で握ったときに、患者の親指と他の指とが接触しない程度の大きさの略楕円柱形状のスクィーズ可能な掴み部３が配置されているために、患者は手袋１を折り曲げることができず、その結果、物を掴むことができない。すなわち、本実施の形態１に係る手袋１では、患者は手をある程度までは握ることができるが物を掴むことができない。
【００３５】
また、手袋１がテープ部５で患者の手首に固定されるため、患者は手袋１を自らの意思では取り外すことができない。仮に、患者が手袋を口で噛んで取り外そうとしても、ミトンカバー部２の素材にはデナトニウムベンゾエイトが含有されているために、非常に苦く、口で噛んで取り外すようなことも確実に防止できる。
【００３６】
以上の説明のように、本実施の形態１に係る医療用ミトン型手袋１は、患者が物を掴むことができないように患者の手に装着可能な医療用手袋であって、略手掌の形状を有し、患者の手を保護するミトンカバー部２と、ミトンカバー部２内にあって患者の手の挿入方向とは略直交する方向に配置された略楕円柱形状の掴み部３と、ミトンカバー部２の手首側に連続一体に形成されて医療用ミトン型手袋１を患者の手首に固定するためのテープ部５とを備える。この構成により、手袋１は、患者の手に装着された際に、患者が点滴チューブなどの物を掴むことができないようにすると共に、患者に余分なストレスを与えることをできるだけ軽減できる。
【００３７】
具体的には、手袋１の内部には略楕円柱形状の掴み部３が配置されるために、患者は、力で手袋１を折ることはできるが親指と他の指とが接触できないため物を掴むことができない。その結果、患者が勝手に点滴チューブなどを抜いたり、千切ったりという行為を確実に防止できる。また、患者は手を握ることができるために、長時間にわたって手袋１を装着したとしても感じるストレスを軽減できる。
【００３８】
そして、ミトンカバー部２は、空気圧によって膨張収縮可能な素材で構成され、空気により膨張する平らな略球形状のクッション部２ｃ、及び手が蒸れないように所々に円形状の開口２ｄを有するために、通気性が良く、手袋１の内部が蒸れることがない。また、クッション部２ｃにより手を守ることができる。さらに、ミトンカバー部２は、圧縮膨張可能なビニール製のため手袋１は非常に軽量となり、不使用時においては空気を抜いた状態で非常にコンパクトにできる。
【００３９】
さらに、ミトンカバー部２は透明又は半透明であるために、手袋１の内部が見え、患者も自身の手が見えるために安心できる。またさらに、手袋１のミトンカバー部２の素材にはデナトニウムベンゾエイトが含有されているために、患者が口で手袋１を噛んで取り外すようなことができない。そして、手袋１はテープ部５を備えるため、手袋１を患者の手首に簡単に装着でき、且つ手袋１がしっかりと患者の手首に固定されているので、患者は手袋１を自分の意志で勝手に取り外すことができない。
【００４０】
（変形例）
本実施の形態１の変形例について図５を参照して説明する。本変形例において、手袋１のミトンカバー部２は、下側カバーと上側カバーとは最初から縫合されている。従って、使用者は手を手袋１に挿入して、掴み部３を掴み、テープ部５で患者の手首に固定するのみで、上記実施の形態１と同様の作用効果を奏することができる。
【００４１】
（実施の形態２）
本発明の実施の形態２に係る医療用ミトン型手袋について図６乃至図８を参照して説明する。なお、上記実施の形態１と同様な構成に関しては同じ符号を付して、その詳細な説明を省略する。
【００４２】
最初に、本実施の形態２に係る医療用ミトン型手袋１０の構造に関して、図６を参照しながら説明する。図６は、医療用ミトン型手袋１０（以下、手袋１０と記す）において、下側カバー２Ａ及び上側カバー２Ｂは、空気圧によって膨張収縮可能な線材２ｅを、メッシュ状（格子状）に組み込んで形成されている。この際、空気栓６からの圧縮空気を受けてこの線材２ｅが膨張するように構成され、例えば膨圧された状態で５ｍｍ角程度の指が外部に突出しないように格子状に形成される。
【００４３】
また、掴み部３は、例えば、任意の位置に空気挿入口（図示せず）を有し、患者の様々な大きさの手に対応可能となるように、空気圧によって膨張収縮可能な素材（ビニール製など）がその両端位置で下側カバー２Ａに一体接続されている。または、ＳＬＭのように予めサイズが決まった略楕円柱形状の掴み部３が膨圧された状態で、その両端位置で下側カバー２に一体接続されていても良い。
【００４４】
次に、本実施の形態２に係る医療用ミトン型手袋１の患者の手への装着手順に関して、図７及び図８を参照しながら説明する。
【００４５】
最初に、医療用ミトン型手袋１のメッシュ状の下側カバー２Ａ、及び上側カバー２Ｂの空気栓６から空気が充填され、また、略楕円柱形状の掴み部３も同様に空気挿入口から空気が充填される。この際、掴み部３の空気の充填率は患者の手の大きさに応じて変更可能であり、患者が手で握ったときに、患者の親指と他の指とが接触しない程度の大きさに掴み部３を膨張させる。
【００４６】
次に、患者の手の平側を下側カバー２Ａに置き、患者に略楕円柱形状の掴み部３を握らせ、さらに、矢印Ｙに示す方向で上側カバー２Ｂを患者の手の甲に被せて手袋１を２つ折りにする。その後、矢印Ｚに示す方向にファスナー部４を移動させてファスナー部４で上側カバー２Ｂ及び下側カバー２Ａを縫合する。最後に、ファスナー部４の留め具４ａをテープ部５の帯状体の内部に収容するようにテープ部５を係合して、手袋１０を患者の手に確実に装着・固定する。
【００４７】
以上の説明のように、本実施の形態２に係る医療用ミトン型手袋１０においてミトンカバー部２は、空気圧によって膨張収縮可能な線材２ｅを、メッシュ状（格子状）に組み込んで形成されている。そして、この構成においても、上記実施の形態１と同様の作用効果を奏することができる。
【００４８】
なお、本発明は、上記実施の形態の構成に限られず、発明の趣旨を変更しない範囲で種々の変形が可能である。例えば、手袋１の掴み部３は略楕円柱形状以外にも親指と他の指とが接触しない形状であれば良い。また、手袋１のミトンカバー部２の素材はビニール製に限定されるものではなく、また、透明素材や半透明素材に限定されるものではない。
【符号の説明】
【００４９】
１，１０  医療用ミトン型手袋
２  ミトンカバー部
２Ａ  下側カバー
２Ｂ  上側カバー
２ｃ  クッション部
２ｄ  開口
２ｅ  線材
３  略楕円柱形状の掴み部
４  ファスナー部（縫合部）
４ａ  留め具
５  テープ部（固定部）
６  空気栓
【図１】
2019119972.tif 000003
【図２】
2019119972.tif 000004
【図３】
2019119972.tif 000005
【図４】
2019119972.tif 000006
【図５】
2019119972.tif 000007
【図６】
2019119972.tif 000008
【図７】
2019119972.tif 000009
【図８】
2019119972.tif 000010
【手続補正書】
【提出日】平成30年5月30日(2018.5.30)
【手続補正１】
【補正対象書類名】特許請求の範囲
【補正対象項目名】全文
【補正方法】変更
【補正の内容】
【特許請求の範囲】
【請求項１】
患者が物を掴むことができないように患者の手に装着可能な医療用ミトン型手袋であって、
略手掌の形状を有し、患者の手を保護するミトンカバー部と、
前記ミトンカバー部内にあって、患者の手の挿入方向とは略直交する方向に配置された略楕円柱形状の掴み部と、
前記ミトンカバー部の手首側に連続一体に形成され、前記医療用ミトン型手袋を患者の手首に固定するための固定部と、を備え、
前記ミトンカバー部は、空気圧によって膨張収縮可能な素材で構成され、空気により膨張して膨張時の厚みが上面視での直径より短くなる略球形状となるクッション部、及び手が蒸れないように所々に円形状の開口を有し、
前記クッション部は透明又は半透明素材であり、その任意の位置に前記クッション部を膨圧するための空気栓を有する、ことを特徴とする医療用ミトン型手袋。
【請求項２】
前記ミトンカバー部は、患者の手の平側を保護する下側カバーと、当該下側カバーと線対称となる形状を有して患者の手の小指側の側面で２つ折りにできるように前記下側カバーと連続一体に形成される上側カバーと、を有し、
前記医療用ミトン型手袋は、
前記下側カバー及び前記上側カバーの小指側の側面以外の外縁部に設けられ、前記下側カバー及び前記上側カバーを縫合するための縫合部をさらに備える、ことを特徴とする請求項１記載の医療用ミトン型手袋。
【請求項３】
さらに、前記ミトンカバー部にはデナトニウムベンゾエイトが含有される、ことを特徴とする請求項１又は２に記載の医療用ミトン型手袋。   
【請求項４】
前記略楕円柱形状の掴み部は、患者が手で握ったときに、患者の親指と他の指とが接触しない程度の大きさを有する、ことを特徴とする請求項１乃至３のいずれか一項に記載の医療用ミトン型手袋。
【請求項５】
前記縫合部に備わる留め具は、前記外縁部に沿って、前記医療用ミトン型手袋の親指の付け根位置に向かう方向に移動しながら前記下側カバー及び前記上側カバーを縫合し、且つ当該留め具は前記固定部の内部に収容可能となる、ことを特徴とする請求項２乃至４のいずれか一項に記載の医療用ミトン型手袋。
【手続補正２】
【補正対象書類名】明細書
【補正対象項目名】００１１
【補正方法】変更
【補正の内容】
【００１１】
上記課題を解決するため、本発明は、患者が物を掴むことができないように患者の手に装着可能な医療用ミトン型手袋であって、略手掌の形状を有し、患者の手を保護するミトンカバー部と、前記ミトンカバー部内にあって、患者の手の挿入方向とは略直交する方向に配置された略楕円柱形状の掴み部と、前記ミトンカバー部の手首側に連続一体に形成され、前記医療用ミトン型手袋を患者の手首に固定するための固定部と、を備え、前記ミトンカバー部は、空気圧によって膨張収縮可能な素材で構成され、空気により膨張して膨張時の厚みが上面視での直径より短くなる略球形状となるクッション部、及び手が蒸れないように所々に円形状の開口を有し、前記クッション部は透明又は半透明素材であり、その任意の位置に前記クッション部を膨圧するための空気栓を有する、ことを特徴とするものである。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】